(57)【要約】【課題】    排水管のトラップにて、封水の水位の低下によって生じた隙間から、排水管内を臭気が通り抜けることを防止する。【解決手段】  本願発明に係る臭気漏れ防止機構は、浮部材３と、移動規制部材４とを備える。浮部材３の上下の幅は、排水管１のトラップ２内部の上下の幅よりも小さく、浮部材は、水に浮くものであり、且つ、水に浮かべた際に水面より上方に露出する閉鎖部を備える。移動規制部材４は、排水管１内部においてトラップ２内部に設けられ、浮部材３のトラップ２内部からの流出を阻止する。【選択図】          図２
2006022548.tif 000002
【特許請求の範囲】
【請求項１】
排水管のトラップの封水の減少により、臭気が排水管内部を通り抜けるのを防止する排水管のトラップの臭気漏れ防止機構において、
浮部材と、移動規制部材とを備え、
浮部材の上下の幅は、排水管のトラップ内部の上下の幅よりも小さく、
浮部材は、水に浮くものであると共に、閉鎖部を備え、
閉鎖部は、浮部材を水に浮かべた際に水面より上方に露出する部位であり、
移動規制部材は、トラップ内部にて排水管に設けられ、浮部材のトラップ内部からの流出を阻止するものであることを特徴とする排水管のトラップの臭気漏れ防止機構。
【請求項２】
移動規制部材は、その一端がトラップ内部の底に固定され、その他端が浮部材に固定された、紐状体であることを特徴とする請求項１記載の排水管のトラップの臭気漏れ防止機構。
【請求項３】
移動規制部材は、排水管のトラップ内部の上下に渡された紐状体、或いは上下に伸び且つその上端或いは下端の少なくとも一端がトラップ内部にて排水管に固定された軸であり、
浮部材は、移動規制部材に遊嵌する係止部を備え、移動規制部材に沿って上下に摺動することが可能なことを特徴とする請求項１記載の排水管のトラップの臭気漏れ防止機構。
【請求項４】
閉鎖部は、排水管のトラップの内周面と対応する形状を備えたものであることを特徴とする請求項１乃至３の何れかに記載の排水管のトラップの臭気漏れ防止機構。
【請求項５】
浮部材は、ウレタン等の弾力性を有する素材にて形成されたことを特徴とする請求項１乃至４の何れかに記載の排水管のトラップの臭気漏れ防止機構。
【発明の詳細な説明】
【技術分野】
【０００１】
本願発明は、排水管のトラップの臭気漏れ防止機構に関するものである。
【背景技術】
【０００２】
臭気漏れ防止のための水溜め部位を備える、即ち、トラップを備える排水管において、封水が切れて、臭気が排水管を通り抜けるという事態が往々にして生じる。
トラップは、例えば、流しや洗面台の真下において、排水管に形成されたＵ字やＳ字型の区間である。図５に、そのＳ字形のトラップ２を示す。このような排水管の（Ｕ字やＳ字の）屈曲部分に常に水（封水）が溜まることで、排水本管から悪臭や害虫が室内へ上がってくることを防ぐ。
しかし、乾燥や、本管における大きな水の移動にて生じた負圧（サイフォン現象）で、水が吸い取られ、トラップ２内の水位が下がると、配水管１内周と溜水ｗとの間に隙間ｔが生じて、悪臭ｎを遮断することができなくなる。
従って、トラップ２内の水位が下がる事態に陥ると、浴槽や洗場の排水口から下水などの臭いが上がってきて、上記の通り、室内に悪臭を侵入させる原因となってしまう。
【０００３】
上記の臭気の侵入を防止するものとしては、例えば、特許文献１に見られるように、逆止弁を用いた配管装置が、種々提案されている。
このように逆止弁を用いるものにあっては、排水の逆流の防止が主目的であり、逆流時、弁体が分岐管の通路を完全に閉ざすものであるが、逆流が生じない限り、機器の排水のために、弁を開放する。例えば乾燥によって溜水の水位が低下した場合、弁体は落ちて臭気の遮断には役に立たず、溜水の水位の低下により生じた溜水と配管（の上部）内周面と隙間にて、臭気の通過を許してしまう。
【０００４】
一方、上水の排水ではないが、水洗式のトイレにあって、例えば特許文献２に見られような配管そのものを封じてしまう弁（電磁弁）を採用するものも提案されている。
【０００５】
【特許文献１】特開平７−９０９００号公報
【特許文献２】特開平１１−６１９５１号公報
【０００６】
しかし、このものも、排水管を完全に塞ぐ構造の弁を採用するものである。トイレの排水において、トイレの使用後一度排水を行えば、トイレの次回の使用まで排水は行わないものであり、１回の排水毎に弁の開閉を行えばよく、台所や風呂場などのように使用時連続して排水を行うことを予定していない。即ち、トイレにおける排水は断続的に行われるものであるため、排水時のみ、弁を開放すればよく、それ以外では弁を完全に閉じておけばよいのである。
しかし、食器や体を洗っている間、連続して排水が生じる台所や風呂場では、その間、排水管を完全に閉ざす訳にはいかず、弁を採用することはできない。
従って、流しの使用時や入浴中に、サイフォン現象にて封水が切れると、浴室や台所に臭気の侵入を許してしまうことになる。
【発明の開示】
【発明が解決しようとする課題】
【０００７】
本願発明は、簡単な構造にて、上記の隙間を塞ぐ具体的な手段を提供することにより、上記課題の解決を図るものである。
【課題を解決するための手段】
【０００８】
本願第１の発明は、排水管のトラップの封水の減少により、臭気が排水管内部を通り抜けるのを防止する排水管のトラップの臭気漏れ防止機構において、次の排水管のトラップの臭気漏れ防止機構を提供する。
即ち、この臭気漏れ防止機構は、浮部材３と、移動規制部材４とを備える。
浮部材３の上下の幅は、排水管１のトラップ２内部の上下の幅よりも小さく、浮部材３は、水に浮くものであると共に、閉鎖部３２を備える。閉鎖部３２は、浮部材３を水に浮かべた際に水面より上方に露出する部位である。移動規制部材４は、トラップ２内部にて排水管に設けられ、浮部材３のトラップ２内部からの流出を阻止するものである。
ここでいうトラップとは、排水管に設けられた、溜水（封水）により臭気が配水管内部を通り抜けることを防ぐ部位をいい、特に、排水管（全体）の少なくとも一部を構成する、Ｐ形排水管、Ｓ形排水管又はＵ形排水管にて、或いはこれらを複合して形成された区間をいう（わん形のものを含まない）。例えば、ＪＩＳ  A4002-1989に規定する床排水トラップにおいて示されている、Ｐ形（Ｔ３Ａ）やつば付きＰ形（Ｔ３Ｂ）、変形Ｐ形（Ｔ１６Ａ）、つば付きの変形Ｐ形（Ｔ１６Ｂ）のトラップ、ＪＩＳ A4421-1991 に規定する設備ユニット用排水器具において示されている（Ｐ形）トラップ、更にＪＩＳ  A 5207：2000に規定する衛生陶器において示されている、小便器着脱式トラップ、洗面及び手洗器トラップ（Ｕ形排水管、Ｐ形排水管及びＳ形排水管）、洗面器トラップ及びポップアップ式洗面器トラップの、Ｓ形トラップ、掃除流しトラップ（Ｓ形、Ｐ形）が含まれる。また、ＪＩＳ A4421-1991 に規定する設備ユニット用排水器具などにて、トラップは、トラップ本体とストレーナとにて構成されたもの（その構成にストレーナを含むもの）が示されているが、少なくともトラップ本体を有するものであれば、ここでいうトラップに含まれる。
また、トラップ内部とは、排水管においてトラップが形成された区間の内部空間をいう。
【０００９】
本願第２の発明は、上記本願第１の発明にあって、次の排水管のトラップの臭気漏れ防止機構を提供する。
即ち、移動規制部材４は、その一端がトラップ２内部の底に固定され、その他端が浮部材３に固定された、紐状体である。
紐状体とは、紐の他、鎖や、針金などの金属製の線材を含むものである。
【００１０】
本願第３の発明は、上記本願第１の発明にあって、次の排水管のトラップの臭気漏れ防止機構を提供する。
即ち、移動規制部材４は、排水管１のトラップ２内部の上下に渡された紐状体、或いは上下に伸び且つその上端或いは下端の少なくとも一端がトラップ２内部に固定された軸である。また、浮部材３は、移動規制部材４に遊嵌する係止部を備え、移動規制部材４に沿って上下に摺動することが可能である。
軸とは、紐状体と異なり、直線的にその形態を維持しているものをいう（但し、正確な直線に限定するものではなく、多少の湾曲や屈曲があっても、浮部材１の移動の規制が可能なものであれば、これを含む）。
【００１１】
本願第４の発明は、上記本願第１乃至第３の何れかの発明にあって、次の排水管のトラップの臭気漏れ防止機構を提供する。
即ち、閉鎖部３２は、排水管１のトラップ２の内周面と対応する形状を備えたことを特徴とする。
【００１２】
本願第５の発明は、上記本願第１乃至第４の何れかの発明にあって、次の排水管のトラップの臭気漏れ防止機構を提供する。
即ち、浮部材３は、ウレタン等の弾力性を有する素材にて形成されたことを特徴とする。
【発明の効果】
【００１３】
本願第１〜５の発明が提供する上記の機構にあっては、排水管のトラップ内部で溜水（封水）の水位の低下が生じても、当該水位の低下によって生じたトラップ（における配水管）の内周面と溜水との隙間を、移動制限部材にてトラップ内部に留置かれて溜水に浮かぶ浮部材の閉鎖部が直接塞ぎ、通気を遮断する。これにて、トラップにおける臭気の通り抜けを阻止することができる。特に、浮部材は、（その上下の幅が排水管１のトラップ２内部の上下の幅よりも小さく、）溜水に浮かぶことにて、トラップ（排水管）を完全に塞ぐものではなく、通気の遮断以外、例えば排水の移動を邪魔するものではなく、常時連続した円滑な排水を行うことができる。
また、この発明において、電磁弁のように電気や磁気を利用する複雑な構成を必要とせず、その実施を低コストで且つ容易に行うことができる。
【００１４】
上記本願第２の発明において、移動規制部材は軸又は紐状体であり、排水時浮部材がトラップから流出するのを防ぐと共に、浮部材の流出のみを規制することができ、排水を邪魔しない。
また、上記本願第３の発明において、移動規制部材は、浮部材のガイド（案内）として、トラップ内部において、浮部材の上下の移動のみを許容し、他方向への移動を規制することができ、上記本願第２の発明と同様、排水時浮部材がトラップから流出するのを防ぐと共に、浮部材の流出のみを規制することができ、浮部材以外の、排水や洗い流したものの流出を阻まない。
本願第４の発明において、排水管のトラップの内周面と閉鎖部とが当接することにより、隙間を確実に塞ぎ、臭気の通り抜けをより確実に防止する。
本願第５の発明において、浮部材が弾力性を有する素材にて形成されることにより、トラップと封水との間に生じた隙間が経時に拡大した場合であっても、当該水位の低下に伴い、トラップ内部において当初浮力で配管の天井面に押し付けられ圧縮されていた浮部材がその上下の幅を伸ばして、隙間の拡大に対応することができる。即ち、その弾力性によって、浮部材は、隙間の変化に、柔軟に対応して、臭気の通過を防止することができる。
【発明を実施するための最良の形態】
【００１５】
以下、図面を参照しつつ、本願発明の好ましい実施の形態について、説明する。図１〜図３へ本願発明の一実施の形態に係る装置を示す。
図１（Ａ）は、本願発明に係る機構が設けられた排水管１を正面視した状態の略縦断面図であり、図１（Ｂ）は、当該排水管１を側面視した状態の略縦断面図である。図２は、図１（Ａ）の要部を拡大した略縦端面図である。図３は、図２のトラップ２内部の封水の水位が更に下がった状態を示す略縦断面図である。
説明の便宜上、各図中、Ｕは上方を、Ｓは下方を、夫々示している。
【００１６】
この臭気漏れ防止機構は、排水管のトラップの封水の減少により、臭気が排水管内部を通り抜けるのを防止するものであり、Ｓ字形やＵ字形或いはＰ字形に屈曲した区間をトラップとして有する排水管に適したものである。
図１及び図２に示す通り、この臭気漏れ防止機構は、排水管１のトラップ２内部に設けられたものであり、浮部材３と、移動規制部材４とを備える。
以下、各部の構成について、詳しく説明する。
【００１７】
浮部材３は、水面より上方に突出する部分を備えて浮く、浮力を備えた素材にて形成される。具体的には、浮部材３は、閉鎖部３２を備える。即ち、浮部材３の、上記水面より上方に突出する部分が、当該閉鎖部３２を構成する。
浮部材３の上下の幅ｈ１は、排水管１のトラップ２内部の上下の幅ｈ２よりも小さい。具体的には、浮部材３の上下の幅ｈ１は、トラップ２の内部の上下の幅ｈ２の半分を超えるものではない。また、他と接触せず、外部から力が加わらない状態において、少なくともその上下の高さの１／５以上水上に露出する浮力を備えたものを浮部材３として採用するのが好ましい。即ち、閉鎖部３２の上下の幅を、浮部材３の上下の幅の１／５以上とするものが好ましい。
浮部材３には、ウレタンなどの、弾力性と、水面より上方に突出するように浮く（閉鎖部３２を確保する）浮力とを備えた素材を採用するのが好ましい。
但し、浮部材３について上記の素材に限定するものではない。特に、ウレタンフォーム（ポリオレフィンフォーム）やポリエチレンフォームといった、スポンジ状の素材を採用することによって、必要な弾力性と、上記の浮力とを兼ね備えたものとすることができる。例えば、軟質ウレタンフォーム、低燃焼性スポンジ、難燃ウレタン、ゴムスポンジなど、種々のスポンジを採用することができる。弾力性（伸縮性）を必要としないのであれば、硬質ウレタンフォーム、発泡スチロールや、他のプラスチック、或いは木材にて形成することも可能である。また、素材自体が水より比重の大きいものであっても、ピンポン玉のように中空に形成することによって上記浮力を獲得したものであれば、浮部材３として採用可能である。
【００１８】
浮部材３は、その目的から、通気性の低いものである必要がある。上記スポンジ（発泡性の素材）など、複数の空孔を備えた素材では、一般にある程度の通気性を有するが、当該通気性が、人が室内にて悪臭を感じない程度のものであれば採用可能である。即ち、気密性を有するものでなくても、排水管内に介在することにて、ポンプなどで加圧しない限り、空気の流れを抑制できるものであれば浮部材３として採用することが可能である。
【００１９】
浮部材３は、少なくとも閉鎖部３２の形状を、配管内周面の形状に応じたものとする。具体的には、少なくとも閉鎖部３２が球面のものを採用するのが好ましい。具体的には、図２へ示すように、浮部材３には、半球状（ここで半球とは、正確に球体の半分の形状に限定するという意味ではない）のものを採用するのが好ましい。例えば、球体の直径の２／３〜１／２程度が下部がカットされた形状の半球（球体の上部１／３〜１／２の形状）を採用するのが好ましい。浮部材３に、特に弾力性が低い素材を採用した場合、浮部材３の上面の形状（閉鎖部３２の形状）について、このような工夫が必要である。
【００２０】
移動規制部材４は、トラップ２内部において、排水管１に設けられて、浮部材３のトラップ２内部からの流出を阻止する。即ち、移動規制部材４は、排水管１のトラップ２において、排水管１の内周面に固定された部材である。図１及び図２へ示すように、この排水管１はトラップ２下部に、水抜き用の開口部１０が形成され、蓋１１を螺合することにて、当該開口部１０を閉鎖している。この実施の形態において、当該蓋１０に移動規制部材４が取り付けられている。
従って、この場合、蓋１０を装着することによって、トラップ２内部に浮部材３とその移動規制部材４とを配置することができる。尚、図２の１２は開口部１０の液密性を保つために設けられたパッキンを示している。
【００２１】
この実施の形態において、移動規制部材４は、紐状体であり、直径が３ｍｍ以下の、ナイロンなどのプラスチック製の糸を採用するのが好ましい。紐状体として、特に素材や直径を制限するものではないが、直径が０．１〜２ｍｍの、上記のナイロンやビニル、ポリエステルに代表されるようなプラスチック製の線材を採用するのが、耐久性の面で、好ましい。
紐状体である移動規制部材４の一端は、上記の通り、排水管１のトラップ２において、排水管１の内周面の底部（最深部）に固定されている。移動規制部材４の他端は、上記の浮部材３の下面中央に固定されている。
浮部材３を発泡ウレタンなどの柔軟な素材にて形成した場合、直接発泡ウレタンに紐状体である移動規制部材４を取り付けると、水流の力を受けて発泡ウレタンが千切れて紐状体が浮部材３から外れる危惧がある。この場合、図２へ示すように浮部材３の底に、プラスチックなどの発泡ウレタンよりも硬い素材でできた円板を取付部３０として接着剤などの周知の固定にて固定し、当該取付部３０に上記紐状体である移動規制部材４を固定するものとして実施すればよい。
但し、浮部材３に、排水の流れを受けても、千切れて移動規制部材４が外れるといった危惧のない、強度を有する素材を採用した場合、上記の取付部３０は設けずに実施することが可能である。
【００２２】
上述の通り、浮部材３の上下の幅は、排水管１のトラップ２内部の上下の幅よりも小さく、浮部材３は、水に浮くものであり、且つ、水に浮かべた際に水面より上方に露出する閉鎖部３２を備えるものであり、上記の通り、トラップ２内部にこのような浮部材３を設けることによって、封水が切れた際も、閉鎖部３２が隙間を覆って、臭気の移動を防ぐ。この浮部材３は、排水管１内を水が移動している間は、水流により、浮部材３の位置は安定しないが、紐状体である移動規制部材４にてトラップ２内部に繋ぎとめられ、トラップ２内部から流出しない。また、排水が済み水の動きが停止すると、上記の浮力によって、浮部材３は、トラップ２の最深部１４（の中心）の真上に、その位置を復元する（紐状体である移動規制部材４は、そのような位置の復元が可能な長さを備える）。
図３へ示すように、トラップ２の封水の水位が図２の状態から更に下がった際には、上記最深部の真上において、上記の浮力にてトラップ２内部の排水管１内周面の天井面１３に押しけられ圧縮された状態であった浮部材３は、当該水位の低下によって、下方に張り出し（上下の幅を拡大し）、拡大した隙間ｔをカバーする。
【００２３】
上記において、移動規制部材４は、紐状体であるものを示した。次に、移動規制部材４が、軸であるものについて説明する。
図４へ示す通り、トラップ２内部において排水管１の内周面の底部（最深部１４）に、基端（下端）が固定され、先端（上端）が、真上に伸びる軸を立設する。排水管１がトラップ２に、上記の通り水抜き用の開口部１０を備える場合、上記蓋１１の内面（上面）中央に、上記の軸（の基端）を固定しておけば、蓋１１の装着によって、簡単に、移動規制部材４及び浮部材３をトラップ２内部に配設することができ便利である。
ここで軸には、直径が５ｍｍ以下の金属製の棒状体を採用するのが好ましい。具体的には、直径が０．５〜３ｍｍのステンレスの軸を、移動規制部材４として採用するのが好ましい。但しこのような素材や寸法に限定するものではなく、変更可能である。即ち、上記以外に金属製の串状や針状の部材など、自立性のある、即ち、排水時の水圧や排水の流れを受けて移動しようとする浮部材３の力を受けても変形しない、或いは、浮部材３の上記上下方向の移動を案内できることが可能な程度の変形で済むものであれば、上記に代え、移動規制部材４に採用することができる。
【００２４】
この実施の形態において、浮部材３は、移動規制部材４に遊嵌する係止部を備え、移動規制部材４に沿って上下に摺動することが可能である。具体的には、係止部３１は、浮部材３を上下に貫通する貫通孔である。当該貫通孔は、球状（半球）である浮部材３の中心を通る。
尚、図４に示す実施の形態において、図２や図３に示す取付部３０は備えない。
図４に示す実施の形態において、移動規制部材４の先端（上端）は、トラップ２内部において、排水管１の内周面の天井面１３と当接する。但し、当接しなくても（天井面１３に届かないものであっても）、排水管１の内周面の天井面１３と移動規制部材４の当該先端（上端）との間隔が、浮部材３の上下の幅よりも小さく、浮力にて上下方向について圧縮されても浮部材３が脱落しないものであれば、そのような態様で実施可能である。また、移動規制部材４の先端に、上記浮部材３の上面と当接する当たりを抜け止めとして設けて実施してもよい。但し、この場合も、浮部材３の上面（閉鎖部３２）が、排水管１の内周面と離れないように寸法設定する必要がある。
【００２５】
また、移動規制部材４の基端は、排水管１の内周面の上記天井面１３に固定され、先端を真下に向けるものであっても実施可能である。
更に、蓋１１や開口部１０を備えないトラップ２においては、移動規制部材４の上下両端を排水管１内周面に固定するものとしても実施可能である。この場合固定前に、浮部材１を移動規制部材４に嵌めておく必要がある。移動規制部材４の上下両端を排水管１内周面に固定する場合は、移動規制部材４は、軸に限らず、前述の紐状体を採用しても実施することができる。
但し、移動規制部材４を、軸とし、上記の蓋１１に設けるのが、設置の簡便・迅速、メンテナンスの容易さの面で有利である。
【００２６】
浮部材１全体について、必ずしも、上下に摺動する自由度を与えられる必要はないが、水位に応じた上下の伸縮を阻害しないものとする必要がある。この点について、図４に示す実施の形態では、係止部３１の形成にて、移動規制部材４に対し上下に摺動可能とし、上記伸縮が円滑に行える。
【図面の簡単な説明】
【００２７】
【図１】（Ａ）は本願発明に係る機構が形成された排水管を正面視した状態の略縦断面図であり、（Ｂ）は当該排水管を側面視した状態を示す略縦断面図である。
【図２】図１（Ａ）の要部を拡大した略縦断面図である。
【図３】図２に示す状態から更にトラップ２の封水の水位が下がった状態を示す略縦断面図である。
【図４】他の実施の形態を示す要部の拡大略縦断面図である。
【図５】従来のトラップを備えた排水管の略縦断面図である。
【符号の説明】
【００２８】
１  排水管
２  トラップ
３  浮部材
４  移動規制部材
【図１】
2006022548.tif 000003
【図２】
2006022548.tif 000004
【図３】
2006022548.tif 000005
【図４】
2006022548.tif 000006
【図５】
2006022548.tif 000007